(57)【要約】【課題】本発明は，化粧品，化粧道具，または文具類のような小さなアイテム，手帳のように紙で作られたアイテム，ポーチ，または財布その他を保管し得る，そして必要に応じて多様な態様のアイテムを収容するため多数のケースまたはその他の保護道具をその内部に取り付け得る多目的ハンドバッグに関する。【解決手段】多目的ハンドバッグは，前部分，後部分，及び横部分を有し，「⊃」形状に折りたたまれ得る基本板と，比較的小さなアイテムを持ち運ぶために基本板の後部分の内側面に取り付けられたアイテムキャリングケースと，基本板が折りたたまれたときにリーフやポーチが基本板の中に綴じこまれるように基本板の横部分内側面に取り付けられたバインダと，所定のアイテムを内部に保管して固定するために基本板の後部分の内側面に取り付けられたループと，を含む。【選択図】図１ａ
2005505363.tif 000002
【特許請求の範囲】
【請求項１】
前部分，後部分，及び横部分とを有し，「⊃」状に折りたたまれ得る基本板と，
小物を保管するために前記基本板の前記後部分の内側面に配されたアイテムキャリングケースと，
前記基本板を折りたたんだ際，リーフとポーチを基本板内に綴じこむために前記基本板の前記横部分の内部面に設けられたバインダと，
所定のアイテムを内部に固定するために，前記基本板の前記後部分の内部面に設けられたループと，
を備えたことを特徴とする，多目的ハンドバッグ。
【請求項２】
前記アイテムキャリングケースが，取り付け装置によって，前記基本板の前記後部分の内部面に着脱式で設けられたことを特徴とする，請求項１に記載の多目的ハンドバッグ。
【請求項３】
前記バインダが，他の取り付け装置によって，前記基本板の前記後部分の内部面に着脱式で設けられたことを特徴とする，請求項１に記載の多目的ハンドバッグ。
【請求項４】
それぞれ異なる機能を備え，他の取り付け装置によって，前記基本板の後部分の外部面，前記前部分の内部面と外部面，及び横部分の内部面に固定式または着脱式で設けられた複数のアイテムキャリングケースを備えたことを特徴とする，請求項１〜３のいずれかに記載の多目的ハンドバッグ。
【請求項５】
前記各アイテムキャリングケースは，一対の取り付け装置によって前記基本板の前記横部分の内部面に結合され，
前記取り付け装置の一方は，各キャリングケースの一側に設けられ，
前記取り付け装置の他方は，前記基本板の横部分の内部面に設けられたことを特徴とする，請求項１〜４のいずれかに記載の多目的ハンドバッグ。
【請求項６】
取り付け装置によって，前記基本板の前記後部分の内部面及び前記基本板の前記前部分の内部面に，固定式または着脱式で設けられる一つ以上のバインダを含むことを特徴とする，請求項１〜５のいずれかに記載の多目的ハンドバッグ。
【請求項７】
取り付け装置によって，前記基本板の前記後部分の内部面，前記後部分の外部面，前記前部分の内部面，前記前部分の外部面，及び前記横部分の内部面のいずれかに，固定式または着脱式で設けられる一つ以上のアイテムキャリングケースを含むことを特徴とする，請求項１〜６のいずれかに記載の多目的ハンドバッグ。
【請求項８】
取り付け装置によって，前記基本板の前記側面の内部面，前記後部分の内部面，及び前記前部分の内部面のいずれかに，固定式または着脱式で設けられる一つ以上のバインダを含むことを特徴とする，請求項１〜７のいずれかに記載の多目的ハンドバッグ。
【請求項９】
前記バインダは，類似の機能を有するルーズリングに置き換えられ，及びルーズリングと結合することを特徴とする，請求項１〜８のいずれかに記載の多目的ハンドバッグ。
【請求項１０】
前記アイテムキャリングケース，前記バインダ，及び前記ルーズリングの取り付け装置は，これらの部品を交替するときと同一の方式で，前記キャリングケース，前記バインダ，及び前記ルーズリングの取り付けに適用されることを特徴とする，請求項１〜９のいずれかに記載の多目的ハンドバッグ。
【請求項１１】
ハンドバッグを開閉するための連結部品を含み，
前記基本板が「⊃」状に折りたたまれる際，前記基本板の前記前部分の外縁部端部が前記基本板の前記後部分の外縁部端部に結合されることを特徴とする，請求項１〜１０のいずれかに記載の多目的ハンドバッグ。
【請求項１２】
ハンドバッグを開閉する連結部品は，前記基本板の前記前部分と前記後部分の外縁部端部に沿って設けられたファスナを含むことを特徴とする，請求項１１に記載の多目的ハンドバッグ。
【請求項１３】
前記基本板の前記前部分と前記後部分の長手方向の端部に設けられた複数の第１連結エレメントと，
前記第１連結エレメントと結合され，前記基本板の外部を囲むように当該基本板の外部に着脱式で設けられる第２連結エレメントを含むカバー板と，
前記基本板の前記前部分と前記後部分の長手方向の外縁部端部に設けられた複数の第３連結エレメントによって，前記基本板に設けられる部分的取り付け板及び部分的取り付けケースと，
前記基本板の前記後部分の長手方向の外縁部端部に設けられた複数の第４連結エレメントによって，着脱式で前記基本板に設けられる外部取り付け板と，
前記基本板の前記複数の第１連結エレメントを用いて，前記基本板を開閉するために，第１連結構成部分の所定部分を囲むように設けられるスイッチングクランプと，
を備えたことを特徴とする，請求項１〜１２のいずれかに記載の多目的ハンドバッグ。
【請求項１４】
前記第１連結エレメントは，前記基本板の前記前部分と前記後部分の長手方向の端部に形成される一対のクランピングバーと，一対のクランピングバーと前記基本板の前記前部分と前記後部分との間の境界に形成された複数の長円を含み，
前記第２連結エレメントは，一対のクランピングバーを連結するように，一部の長円を貫通するクランプを含むことを特徴とする，請求項１３に記載の多目的ハンドバッグ。
【請求項１５】
前記第３連結エレメントは，前記基本板の前記前部分と前記後部分の長手方向の端部に形成される略円状の連結エレメントを含み，
前記４連結エレメントは，前記第３連結エレメントに結合される略円状の連結エレメントを含み，
固定バーを有する前記第３連結エレメントと前記第４連結エレメントは，相互結合のためにその内部に挿入される，ことを特徴とする，請求項１３に記載の多目的ハンドバッグ。
【発明の詳細な説明】
【技術分野】
【０００１】
本発明は，多目的ハンドバッグに係り，より詳しくは化粧品，化粧道具，または文具類のような小さなアイテム，手帳のように紙で作られたアイテム，ポーチ，または財布その他を保管し得る，そして必要に応じて多様な態様のアイテムを収容するため多数のケースまたはその他の保護道具をその内部に取り付け得る多目的ハンドバッグに関する。
【背景技術】
【０００２】
一般に，比較的小さなアイテムを用途に応じて収容するのに使用されるハンドバッグはユーザの性別，年令さらに使用目的に応じてその態様が異なる。
【０００３】
かかるハンドバッグは，財布，手帳，ペンケース，化粧品，さらに化粧道具のように多様な種類のアイテムを収容する空間と，空間部分の入口を開閉するための部分と，ユーザが容易に携帯するために調整されるショルダストラップまたはハンドストラップを有している。
【０００４】
従来のハンドバッグは，全ての種類のアイテムが収容される空間を有するのみであり，アイテムはうまく整理されない。ハンドバッグの空間に収容されているアイテムが常時整理されていなければ，空間から必要なアイテムを取り出すことが困難となる。その上，必要なアイテムを取り出したとしても，そのアイテムを広げるための場所の制限により，適当な場所にそのアイテムを広げることが不便となる。さらに，従来のハンドバッグを兼ねた保管手段は，ハンドバッグと同じ目的で利用されることから，ハンドバッグを本来の目的以外の目的で使用することができない。これはハンドバッグの効率性を大きく低下させる。
【発明の開示】
【０００５】
本発明は，このような問題に鑑みてなされたものであって，その目的は，内部空間ですべてのアイテムを整理することによってアイテムが相互に交わらないようにし，その結果，所望のアイテムを容易かつ迅速に取り出すことができ，ハンドバッグ自体を広げることによってアイテムを確認できるようにして，利用場所の制限を受けずに所望のアイテムを便利に使用できる多目的ハンドバッグを提供することにある。
【０００６】
本発明の他の目的は，体積が小さくユーザの利便性に応じて小さい区画に適切に区分された多目的ハンドバッグを提供することにある。この発明は，化粧品，化粧道具，文具類，手帳，財布などのアイテムを収容できる十分な収納スペース部を提供する。このため，ユーザが全てのアイテムを一緒に持ち運べるようになり，個別にこれらを持ち運んだ場合にそれぞれのアイテムを紛失するおそれが回避される。ハンドバッグの内部にそれぞれが着脱可能なアイテムキャリングケース，バインダ，ルーズリング，及びループが提供され，ユーザは，きわめて効率的かつ自己の目的に応じて全体空間を活用することができる。
【０００７】
本発明のこれらの及び他の目的を達成するために，前部分，後部分，及び横部を有し，「⊃」形状に折りたたまれる基本板と，基本板の後部分の内表面に位置するケースと，基本板の横部の内表面に着脱式に取り付けられたバインダとルーズリング−これによってリーフやポーチが基本板の折りたたみ部の内側にファイルされる−基本板の内表面に位置するループと，を含む多目的ハンドバッグが提供される。
【０００８】
本発明によれば，それぞれ多くの機能を有し，安全に取り外し可能な複数のケースを有する多目的ハンドバッグが提供される。そして，前部分と後部分の長手方向の外部周辺前端部に形成されたクランピングバーまたは連結エレメントを備えた基本板が提供される。クランピングバーと連結エレメントは，追加部品をそこに着脱式で取り付けるためのものである。これによって，ユーザは，年令，性別，職業などに応じて，ハンドバッグを所望の態様で使用できるようになる。
【発明を実施するための最良の形態】
【０００９】
本発明の追加目的と利点は，添付図面を用いた次の詳細な説明からより詳しく理解することができる。
【００１０】
以下，本発明の好適な実施の形態について，添付図面を参照しながら詳述する。
図１ａ−１ｂは，この発明の好適な実施の形態に係る多目的ハンドバッグの基本部品を示しており，ここでハンドバッグは，基本板２，アイテムキャリングケース４，バインダ６，及びループ８を含む。
【００１１】
基本板２は，前部分１０，後部分１２，及び横部分１４から構成されており，これは「⊃」形状に折りたたまれる。かかる態様を備えた基本板２は，次のように２つの態様で構成することができる。第一に，図１ｃに示すように，基本板２の前部分１０と横部分１４との間と，後部分１２と横部分１４との間の境界は，ハンドバッグの内部に折りたたまれる。第二に，図１ｃに示すように，基本板２の前部分１０と横部分１４との間と，後部分１２と横部分１４との間の境界は，適切に直角に保持され，横部分１４の中央部分Ｘは，図面のとおり下方へ折りたたまれる。基本板２には付属部Ｒ，Ｑが備えられている。付属部Ｒ，Ｑは，前部分１０，後部分１２，及び横部分１４の内部表面に着脱式で取り付けられるケース，バインダ，及びループに対応している（図３ａ参照）。
【００１２】
アイテムキャリングケース４は，ケース本体２０を含み，その本体には比較的小さいサイズのアイテムを収容することができる。さらに，カバー２２は，ケース本体２０の開口部を開閉するために，ケース本体２０の一側の周辺で回転できるように連結される。カバー２２を備えるケース本体２０を開閉する部分は，取り付けループ２３またはファスナを含む。かかる部分がケース４を開閉するとしたら，他の手段によってこれが実現され得る。必要ならば，鏡Ｇ，Ｇ’をカバー２２に取り付けることができる（図２ｃと６ａ参照）。図１ｃは他の形状を有するアイテムキャリングケース４の例を示すものであるが，本発明は図１ｃの一実施形態だけに制限されるものではない。
【００１３】
アイテムキャリングケース４の側面にある溝は，ケース溝Ｒ’である。このケース溝Ｒ’は，バインダ６が位置しておりバインダ６に着脱式で固定されるアイテムキャリングケース４を有する基本板２の横部分１４のガイドレールＲに対応している。そして，アイテムキャリングケース４の底面の上部と下部にある溝は，基本板２にケース４を結合するために用いられるレール溝Ｒ”である（図１ｃと４ａ参照）。バインダ６が設けられていた基本板２の横部分１４に他のケース８４が取り付けられた例は，図２ｄに示されている。
【００１４】
アイテムキャリングケース４は，基本板２の後部分１２の内側面に配置され，基本板２の横部分１４の一側面の周辺から一側壁に相当する幅分の間隔を有するように形成されている（図１ｂ参照）。よって，基本板２は，全体的に「⊃」形状に容易に折りたたまれ，かかる方法で折りたたまれる際，バインダ６に綴じられたリーフ１６とポーチＴは，ケース４の内部表面と前部分１０の両側面に接触する。図２ａに示すように，ケースとバインダの大きさと固定位置を調整すると，ケース４は，基本板２の横部分１４の一側にある外部縁から分離されないように設置される。この結果，基本板２が「⊃」形状に折りたたまれると，バインダ６に綴じられたリーフ１６とポーチＴは，基本板２の前部分１０と後部分１２の内側面との両側面で接触する。これによって，横部分１４の幅が減縮され得る。つまり，図１ｂと２ａに示したように，ケース４，バインダ６，ルーズリング，及びループはその内部に収容されるが，その大きさと固定位置によって，基本板２が「⊃」形状に折りたたまれる際に，基本板２の横部分１４の幅が異なって決定され得る。さらに，ケース４，バインダ６，ルーズリング，及びループは，すべて適切な取り付け手段を用いてハンドバッグの内部に着脱式で個別に取り付けられる。もちろん，ケース４に加えて，本発明に係る多目的ハンドバッグには多数のアイテムキャリングケース７，７４，７４’，及び７４”が提供される（図２ｄ参照）。
【００１５】
基本板２にはさらに，一側に着脱式で設けられる２つ以上のケース，または前部分，後部分，及び横それぞれに一つ以上のケースが提供される。このほかに，他のケース８４を，バインダ６が設けられる基本板２の横部分１４の内部の表面上に設けることができる。これによって，基本板２の横部分１４上，ケース８４の横部に配置されたガイドレールＲに対応するケース溝Ｒ’を形成することができる（図２ｄ参照）。もちろん，ケース８４を設ける方法は，上記に示す一実施形態に限定されるものではない。
【００１６】
折りたたまれた基本板２の内部にリーフ１６とポーチＴが綴じられるように，バインダ６は，基本板２の横部分１４の内部表面上に設けられる。図１ｂに示すように，バインダ６は基本板２の横部分１４の内部表面上に着脱式で設けられる。換言すれば，ガイドレールＲは，横部分１４の内側表面上に形成され，バインダ６には底面上でガイドレールＲに対応するガイド溝Ｌ’とＬ”が提供される。これによって，レールを溝内に嵌合させ，さらに連結を切ってそれから分離することによって，バインダ６は基本板２上に設けられ得る。一方，バインダ６の底面にガイドレールＲを形成することもできるし，ガイド溝Ｌ’とＬ”は基本板２の横部分１４の内側表面上に存在するようになる。バインダ６を設ける方法は，上記で示す一実施形態に限定されるものではない。
【００１７】
バインダ６が着脱式で取り付けられる位置は，基本板２の横部分１４の内側面のみに限定されず，例えば，基本板２の前部分１０の内側面や基本板２の後部分１２の内側表面に，ユーザが任意に固定位置を決定することができる。２つ以上のバインダ６を基本板２の一面に設けることができるし，１つ以上のバインダ６を前部分１０，後部分１２，及び横部分１４の内側面に取り付けることができる（図２ｂ参照）。
【００１８】
バインダ６は，ルーズリングＮ１，Ｎ２，Ｎ３，Ｎ４，Ｎ１’，及びＮ２’に交換され得る。図２ａ−２ｃに示すように，ルーズリングは，基本板２の横部分１４，前部分１０，及び後部分１２の内側面に着脱式で固定され，さらに，バインダ６と結合して固定される。一定の大きさのリーフ１６やポーチに使用されるバインダ６とは異なり，ルーズリングの固定位置は，ユーザが選択するリーフ１６やポーチの大きさによって調整され得る。よって，ルーズリングはリーフやポーチの大きさとは関係なく使用することができる。
【００１９】
図２ａに示すように，バインダ６またはルーズリングの設置位置，さらにこれらの位置角度を多様に変えるようにするためには，バインダ６の側面上またはルーズリングの横面上に溝Ｌ’を追加形成することが好ましい。
【００２０】
一方，ループ８は，ループ８の終端部分が基本板２の後部分１２の内側面に取り付けられることによって，基本板２の後部分１２の内側面に着脱式で固定されるバンド態様であり，ループ８は，その内部に所定の物品１８を保持し固定する。
【００２１】
図２ａ−２ｄに示すように，ケースの位置またはケースの個数は自由に調整され，これによってバインダ６，ルーズリング，及びループ８と８’の位置とこれらの部品の個数が決定される。
【００２２】
バインダ６，ルーズリング，及びループを着脱可能なように取り付ける方法は，レール溝またはレールバー，オスメス溝，オスメス取り付けフック，着脱自在ファスナ，ヒンジ，及びドット等の各種手段を利用して実施される。
【００２３】
図３ａ−３ｃは，一対のクランピングバー３０と３２，スイッチングクランプ３４，及び基本板２の前部分１０と後部分１２の長手方向の外部周辺の前端部に付加される他の連結エレメントを示す。つまり，クランピングバー３０と３２にはそれぞれラウンドバー部Ｂとラウンドバー部Ｂから延長される連結端部Ｆが含まれる。ラウンドバー部Ｂそれぞれは，一般的な硬いラウンドバーの態様を有しており，連結端部Ｆそれぞれは，ラウンドバー部Ｂの一側から延びて，基本板２の前部分１０と後部分１２の長手方向に位置する。さらに，連結端部Ｆは，ラウンドバー部Ｂとの境界部分において，相互に均等な間隔を有する複数の長穴Ｈを備えている。長穴Ｈは，基本板２の外部表面の端部の長手方向に同様に形成されるものに置き換えられ得る。
【００２４】
スイッチングクランプ３４は，部分的に開かれ相互に対向している一対の屈曲部を含んでおり，その結果，これらの部品は，一対のラウンドバー部Ｂの所定部分と一対の屈曲部を延長させるために構成された延長部を囲み固定する。
【００２５】
図４ａ−４ｃは，カバー板４６，部分的取り付け板８０，外部取り付け板６０，及び内部取り付け板６１のような追加部品がハンドバッグの内部で形成される例を示す。
【００２６】
カバー板４６は，基本板２が「⊃」状に折りたたまれた状態で，一対のクランプ５０を両側端で一対のクランピングバー３０と３２の長穴Ｈと連結せしめることによって，基本板２の外部表面を覆うことになる。つまり，カバー板４６は，基本板２に従って「⊃」状の態様で設けられる。クランプ５０は，もちろん他の連結エレメントを用いることによってクランピングバーに連結される。カバー板４６の外部表面には，ファスナで開けるバッグ，ＭＰ３プレイヤーまたは携帯電話機を収容できる突出キャリング部，あらゆる種類のカードを収容できるカード保管部分が備えられる。
【００２７】
部分的取り付け板８０は，基本板２の前部分１０と後部分１２の長手方向の外部周辺の前端部に形成されたクランピングバー３０と３２を用いることによって，基本板に固定される。部分的取り付け板８０には，基本板２の前部分１０または後部分１２を連結するために，これらの長手方向の両側端に形成されたクランプ５０’が備えられる。もちろん，連結は上記の一実施形態に限定されるものではない。部分的取り付け板８０は，基本板２に一体的に固定され得る。部分的取り付け板８０は，自体の内部と外部面に，小さいサイズのリーフを保管する部分とあらゆる種類のカードを保管する部分を含んでいる。部分的取り付け板８０は，アイテムキャリングケースとしての追加機能を有している他の部分的取り付けケース８８に置き換えられ得る（図６ｂ参照）。
【００２８】
図４ａに示すように，外部取り付け板６０は，クランプ６２と連結エレメント６４を用いることによって，基本板２の一側にあるクランピングバー３２とカバー板４６に設けられる。連結エレメント６４は，カバー板４６の外部表面上にある連結エレメントに合うように形成され，これらの部品は，一対のオスメスボタン６４’または一対の着脱自在ファスナによって形成される。外部取り付け板６０は，基本板２に一体的に固定されて，これによって外部取り付け板６９のような態様となる（図６ａ参照）。さらに，外部取り付け板６０は，小さいサイズのリーフを収容する空間とあらゆる種類のカードを内部面に収容するカード収納部分Ｃを含む。
【００２９】
外部取り付け板６０の内部表面に位置するように，内部取り付け板６１が形成される。図４ａに示すように，内部取り付け板６１は，ファスナ６３で開けられるバッグと内部取り付け板６１の内部面一側で開けられる他のバッグから構成される。さらに，内部取り付け板６１は，カード収納部分と内部取り付け板６１の外部面の一側で開かれる他のバッグを有してもよい。
【００３０】
図４ｃに示すように，外部取り付け板６０と内部取り付け板６１はそれぞれ，基本板２の横部分１４に対応する開放面と基本板２の前部分１０に対応する他の面に分割されて，これらの部品が「┌」の態様で折りたたまれる。外部取り付け板６０と内部取り付け板６１は，内部取り付け板６１の外部表面上にある突出形の押しボタン（参照番号省略）を，内部取り付け板６１に形成されたものに対応する外部取り付け板６０の内部面上にある突出形の押しボタン６５及び６７に結合させることによって連結される。上記において言及した連結装置に加えて，ファスナを利用することによって外部取り付け板６０を内部取り付け板６１に連結することもできる。
【００３１】
カバー板４６，部分的取り付け板８０，外部取り付け板６０，及び内部取り付け板６１をハンドバッグに脱着式に取り付けるための手段は，クランピングバー３０と３２及びクランプ５０，５０’と６２によって具現化されるが，これを，相互結合し固定バーが挿入されている複数のロールタイプの連結エレメントＹとＹ’に置き換えるようにしてもよい。本発明は，上に示した実施形態に限定されるものではない。さらに，カバー板４６，部分的取り付け板８０，外部取り付け板６０，及び内部取り付け板６１は，ハンドバッグの基本板２に完全に取り付けられる。ハンドバッグにはさらにハンドストラップ２５が備えられ，このハンドストラップ２５は，その両端が，横部分１４の所定部品，または，基本板２の前部分１０と後部分１２に固定される（図４ｃ参照）。
【００３２】
図５ａ−５ｄは，開口部の開閉を容易化するという目的のために，本発明のハンドバッグに取り付けられたファスナ７６の例を示している。より詳しく見てみると，ファスナ７６は，基本板２の外部周辺の前端部に沿って取り付けられており，基本板２が「⊃」状に折りたたまれた状態でハンドバッグを容易に開閉することができる。さらに，ハンドバッグを開閉するため，基本板２の後部分１２の外部周辺の前端部に上向けに設けられた突出部７７が，基本板２の前部分１０の外部周辺の前端部に上向けに設けられた他の突出部７７に結合される。本発明は上に示した一実施形態に限定されるものではない。図５ａ−５ｄに示すように，ファスナ７６と突出部７７が形成されるとしても，クランピングバー３０と３２，及び連結エレメントは，基本板２の前部分１０と後部分１２の長手方向の外部周辺の前端部に沿って，取り付け時の困難を伴うことなく，構成され得る。したがって，カバー板４６，取り付け板８０，取り付けケース８８，及び外部取り付け板６０は，クランピング３０と３２及び連結装置を利用して取り付けられる。
【００３３】
図５ａ−５ｄに示すように，基本板２の縁部にファスナ７６を有するハンドバッグには，基本板２の前部分１０，後部分１２，及び横部分１４の内部面または外部面上に設けられた複数のケース４，７４，７４’，７４”が備えられており，これらはそれぞれ，個別の機能を有している。
【００３４】
図６ａ−６ｂは，化粧品ケースＥ，煙草ケースＵ，小型リーフハウジングケースＳ，及びペンケース等の多様な物品整理部品で満たされているケースの内部の例を示す。物品整理部品は，ケース４とは関係なく，それぞれ異なる目的に応じて多数のケースを使用するために形成されており，ユーザの選択によって着脱可能なように取り付けられている。
【００３５】
本発明の多目的ハンドバッグには外部板Ｚが備えられており，これは，基本板２の前部分１０または後部分１２の内部面両側端の縁部に固定され，バッグと一側端で開かれるカード収納部分を含む。さらに，本発明の多目的ハンドバッグには，基本板２と外部板Ｚと間に形成された組み入れ空間部Ｋが備えられており，ここにはバインダやルーズリングに綴じこむための穴を有していない手帳またはノートの外側表紙の一側が挿入される（図６ａ参照）。
【００３６】
いくつかの特定の実施形態を提示しつつ本発明を記述したが，かかる記述は発明の例示であり，その内容がこの発明を限定すると解釈してはいけない。添付されている特許請求の範囲に明示されたように，発明の真意と範囲を逸脱することなく当業者は多様な変形例に想到する。
【産業上の利用可能性】
【００３７】
上述のように，本発明に係る多目的ハンドバッグは，内部空間で多様な種類のアイテムを整理することが可能であり，各アイテムが散乱しないようになり，その結果，ハンドバッグ自体を開くことによって所望のアイテムを容易かつ迅速に引出してアイテムを使用できるようにして，全く場所の制限を受けずに所望のアイテムを便利に使用できるようになる。
【００３８】
さらに，多目的ハンドバッグは，各種の機能を備えたケース，バインダ，ルーズリング，さらにループを備えており，このすべての附属品は，取り付け位置を変えつつ，さらに増えつつあるすべてのアイテムを保管するための保管空間に設けられるカバー板，部分的取り付け板，部分的取り付けケース，外部取り付け板，及び内部取り付け板とともに着脱式で固定できることから，利用目的に応じて利用空間を効率的に拡大することについての優位性がもたらされる。
【図面の簡単な説明】
【００３９】
【図１ａ】本発明に係る多目的ハンドバッグの基本部分を示している。
【図１ｂ−１】本発明に係る多目的ハンドバッグの基本部分を示している。
【図１ｂ−２】本発明に係る多目的ハンドバッグの基本部分を示している。
【図１ｃ−１】本発明に係る多目的ハンドバッグの基本部分を示している。
【図１ｃ−２】本発明に係る多目的ハンドバッグの基本部分を示している。
【図１ｃ−３】本発明に係る多目的ハンドバッグの基本部分を示している。
【図２ａ−１】複数のケース，バインダさらにルーズリングが多様な態様で結合される例を示している。
【図２ａ−２】複数のケース，バインダさらにルーズリングが多様な態様で結合される例を示している。
【図２ｂ】複数のケース，バインダさらにルーズリングが多様な態様で結合される例を示している。
【図２ｃ】複数のケース，バインダさらにルーズリングが多様な態様で結合される例を示している。
【図２ｄ】複数のケース，バインダさらにルーズリングが多様な態様で結合される例を示している。
【図３ａ】本発明の好適な実施の形態において，追加部品を取り付けるための結合エレメントの例を示している。
【図３ｂ】本発明の好適な実施の形態において，追加部品を取り付けるための結合エレメントの例を示している。
【図３ｃ】本発明の好適な実施の形態において，追加部品を取り付けるための結合エレメントの例を示している。
【図４ａ】本発明の好適な実施の形態において，追加部品が適用される例を示している。
【図４ｂ】本発明の好適な実施の形態において，追加部品が適用される例を示している。
【図４ｃ】本発明の好適な実施の形態において，追加部品が適用される例を示している。
【図５ａ−１】本発明の好適な実施の形態に係るファスナが取り付けられた例を示している。
【図５ａ−２】本発明の好適な実施の形態に係るファスナが取り付けられた例を示している。
【図５ｂ】本発明の好適な実施の形態に係るファスナが取り付けられた例を示している。
【図５ｃ】本発明の好適な実施の形態に係るファスナが取り付けられた例を示している。
【図５ｄ】本発明の好適な実施の形態に係るファスナが取り付けられた例を示している。
【図６ａ−１】他の適用部品がケースの内部において着脱式で配置される例を示している。
【図６ａ−２】他の適用部品がケースの内部において着脱式で配置される例を示している。
【図６ｂ】他の適用部品がケースの内部において着脱式で配置される例を示している。
【符号の説明】
【００４０】
２      基本板
４      ケース
１０      前部分
１２      後部分
１４      横部分
２０      ケース本体
２２      カバー
２３      取り付けループ
【図１ａ】
2005505363.tif 000003
【図１ｂ−１】
2005505363.tif 000004
【図１ｂ−２】
2005505363.tif 000005
【図１ｃ−１】
2005505363.tif 000006
【図１ｃ−２】
2005505363.tif 000007
【図１ｃ−３】
2005505363.tif 000008
【図２ａ−１】
2005505363.tif 000009
【図２ａ−２】
2005505363.tif 000010
【図２ｂ】
2005505363.tif 000011
【図２ｃ】
2005505363.tif 000012
【図２ｄ】
2005505363.tif 000013
【図３ａ】
2005505363.tif 000014
【図３ｂ】
2005505363.tif 000015
【図３ｃ】
2005505363.tif 000016
【図４ａ】
2005505363.tif 000017
【図４ｂ】
2005505363.tif 000018
【図４ｃ】
2005505363.tif 000019
【図５ａ−１】
2005505363.tif 000020
【図５ａ−２】
2005505363.tif 000021
【図５ｂ】
2005505363.tif 000022
【図５ｃ】
2005505363.tif 000023
【図５ｄ】
2005505363.tif 000024
【図６ａ−１】
2005505363.tif 000025
【図６ａ−２】
2005505363.tif 000026
【図６ｂ】
2005505363.tif 000027
【国際公開パンフレット】
2005505363.tif 000028
2005505363.tif 000029
2005505363.tif 000030
2005505363.tif 000031
2005505363.tif 000032
2005505363.tif 000033
2005505363.tif 000034
2005505363.tif 000035
2005505363.tif 000036
2005505363.tif 000037
2005505363.tif 000038
2005505363.tif 000039
2005505363.tif 000040
2005505363.tif 000041
2005505363.tif 000042
2005505363.tif 000043
2005505363.tif 000044
2005505363.tif 000045
2005505363.tif 000046
2005505363.tif 000047
2005505363.tif 000048
2005505363.tif 000049
2005505363.tif 000050
2005505363.tif 000051
2005505363.tif 000052
2005505363.tif 000053
2005505363.tif 000054
2005505363.tif 000055
2005505363.tif 000056
2005505363.tif 000057
2005505363.tif 000058
2005505363.tif 000059
2005505363.tif 000060
2005505363.tif 000061
2005505363.tif 000062
2005505363.tif 000063
2005505363.tif 000064
【手続補正書】
【提出日】平成16年1月19日(2004.1.19)
【手続補正１】
【補正対象書類名】特許請求の範囲
【補正対象項目名】全文
【補正方法】変更
【補正の内容】
【特許請求の範囲】
【請求項１】
穿孔された物品を固定するために，相互に結合するようにルーズリングの中央に形成された円形バー部分と，
ルーズリングの底面または横面に形成され，前記円形バー部分に取り付けられる物品の角度を調整するためにオスとメスの結合手段によって結合された結合部分と，
を備え，
穿孔された物品の穿孔間隔に適合するように，穿孔の数と間隔を調整して，いろいろな大きさと量のバインダの機能を有することを特徴とする，ルーズリング。
【請求項２】
前部分，後部分，及び横部分を有し，「⊃」状に折りたたまれ得る基本板と，
前記基本板の前記後部分の内側面に形成され，小物を保管するアイテムキャリングケースと，
リーフまたはポーチを折りたたまれた前記基本板の内部に綴じこむために前記基本板の横部分の内側面に位置しており，穿孔された物品を固定するために相互に結合するように中央に形成された円形バー部分を有するルーズリングと，
前記ルーズリングの底面または横面に形成され，前記円形バー部分に取り付けられる物品の角度を調整するためにオスとメスの結合手段によって結合された結合部分と，
を備え，
前記ルーズリングは，穿孔された物品の穿孔間隔に適合するように，穿孔の数と間隔を調整して，いろいろな大きさと量のバインダの機能を有し，
前記基本板の前記後部分の内側面にループが配されていることを特徴とする，多目的ハンドバッグ。
【請求項３】
前記１つ以上のルーズリングは，前記基本板の前記横部分，前記後部分，及び前記前部分の内側面のうち，少なくとも１つの面に形成されて固定される，または，適切な取り付け手段によって前記基本板に着脱式で取り付けられることを特徴とする，請求項２に記載の多目的ハンドバッグ。
【請求項４】
前記１つ以上のアイテムキャリングケースは，前記後部分の内側面と外側面，前記前部分の内側面と外側面，及び前記横部分の内側面のうち，少なくとも１つの面に形成される，または，適切な取り付け手段によって前記基本板に着脱式で取り付けられることを特徴とする，請求項２に記載の多目的ハンドバッグ。
【手続補正２】
【補正対象書類名】明細書
【補正対象項目名】全文
【補正方法】変更
【補正の内容】
【発明の詳細な説明】
【技術分野】
【０００１】
この発明は，ユーザの用途に応じてルーズリングを調整することによって，内部空間を効率的に活用できる多目的ハンドバッグに関するものであって，特に，化粧品，化粧道具，文具類のような小さなアイテムのみならず，手帳のような紙で作られたアイテム，ポーチ，または財布等を保管することが可能であり，必要ならば多様な態様のアイテムまたはその他の保管手段をその内部に収容するために複数のケースが取り付けられる多目的ハンドバッグに関するものである。
【背景技術】
【０００２】
一般に，小さなアイテム（小物）を収容するために用いられるハンドバッグは，ユーザの性別，年令，及び用途に応じて異なる構成を有する。
【０００３】
かかるハンドバッグは，財布，手帳，ペンケース，化粧品，及び化粧道具のような多様な種類のアイテムを収容する空間部分，この空間部分の開口部を開閉するための部分，並びにユーザが容易に携帯するため調整されるショルダーストラップまたはハンドストラップを有している。
【０００４】
しかしながら，従来のハンドバッグは，多様なアイテムを収容する一つの空間部分を有するだけであり，各アイテムを整理することができなかった。ハンドバッグの空間部分に収容されているアイテムが常に整理されていなければ，空間部分から所望のアイテムを取り出すことが困難となる。さらに，所望のアイテムを取り出したとしても，そのアイテムを広げるための場所の制限によって，適切な場所にそのアイテムを広げておくことが不便となる。加えて，従来のハンドバッグを兼ねた保管手段は，ハンドバッグと同じ目的で利用されるため，ハンドバッグを本来の目的以外の目的で使用することができない。これは，ハンドバッグの効率性を大きく低下させる。
【発明の開示】
【０００５】
本発明は，このような問題に鑑みてなされたものであって，その目的は，内部空間で多様な種類のアイテムを整理することによって，アイテムが相互に交わらないようにし，その結果，所望のアイテムを容易かつ迅速に取り出すことができ，ハンドバッグ自体を広げることによってアイテムを使用できるようにして，利用場所の制限を受けずに所望のアイテムを便利に使用できる多目的ハンドバッグを提供することにある。
【０００６】
本発明の他の目的は，体積が小さく，ユーザの利便性のために，小さい区画に適切に区分された多目的ハンドバッグを提供することにある。この発明は，化粧品，化粧道具，文具類，手帳，財布等のアイテムを収容できる十分な収納スペースを提供する。このため，ユーザが全てのアイテムを一緒に持ち運べるようになり，個別にこれらを持ち運んだ場合にそれぞれのアイテムを紛失するおそれが回避される。ハンドバッグの内部にそれぞれが着脱可能なアイテムキャリングケース，バインダ，ルーズリング，及びループが提供され，ユーザは，自己の目的に応じて，内部空間をきわめて効率的に活用することができる。
【０００７】
上記のような目的を達成するために，本発明によれば，前部分，後部分，及び横部分を有し，「⊃」状に折りたたまれる基本板と，この基本板の後部分の内側面に位置するケースと，基本板の横部分の内側面に着脱可能なように取り付けられ，リーフまたはポーチを基本板の折りたたみ部の内側に綴じこむルーズリングと，基本板の内側面に位置するループと，を含む多目的ハンドバッグが提供される。
【０００８】
本発明に係る多目的ハンドバッグは，それぞれ多くの機能を有しハンドバッグ内部に着脱式で固定される複数のケースと，ユーザの利用目的に応じて調整できるルーズリングまたはルーズリングと類似の機能を有するバインダを含んでいる。その結果，ユーザは，年令，性別，職業等に応じて，ハンドバッグを所望の態様で使用することができる。
【発明を実施するための最良の形態】
【０００９】
本発明の上記の目的，その他の目的，特徴，及び利点は，添付図面を参照しながら本発明の好適な実施の形態を以下詳細に説明することによって明らかになる。
【００１０】
以下，本発明の好適な実施の形態について，添付図面を参照しながら詳述する。図１ａ〜１ｄは，本発明の好適な実施の形態に係る多目的ハンドバッグの基本部品を示しており，ここで，ハンドバッグは，基本板２，アイテムキャリングケース４，ルーズリング６，及びループ８を含む。
【００１１】
基本板２は，前部分１０，後部分１２，及び横部分１４から構成されており，これは「⊃」形状に折りたたまれる。「⊃」形状に折りたたまれ得る基本板２は，次のように２通りの態様で構成される。第一に，図１ｄに示すように，基本板２の前部分１０と横部分１４との間と，後部分１２と横部分１４との間の境界は，ハンドバッグの内部に折りたたまれる。第二に，図１ｄに示すように，基本板２の前部分１０と横部分１４との間と，後部分１２と横部分１４との間の境界は，適切に直角に保持され，横部分１４の中央部分Ｘは，図面のとおり下方へ折りたたまれる。
【００１２】
アイテムキャリングケース４は，ケース本体２０を含み，この本体には比較的小さいサイズのアイテムを収容することができる。さらに，カバー２２は，ケース本体２０の開口部の開閉のために，ケース本体２０の一側の周辺で回転できるように連結される。ケース本体を開閉する部分とカバー２２は，ロックバー２３またはファスナを含む。かかる部分がケース４を開閉するとしたら，他の手段によってこれが実現され得る。図１ｃに示すように，鏡Ｍは，必要時にカバー２２に取り付けられ得る。図１ｄは，ロックバータイプ，ファスナタイプ，スライドドアタイプ等のような異なるタイプを有するアイテムキャリングケース４の例を示している。ただし，本発明は，図１ｄに示された実施形態に制限されるものではない。
【００１３】
図１ｂに示すように，アイテムキャリングケース４は，基本板２の後部分１２の内側面に配置され，基本板２の横部分１４の一側面の周辺から一側壁に相当する幅分の間隔を有するように形成されている。よって，基本板２は，全体的に「⊃」形状に容易に折りたたまれ，かかる方法で折りたたまれる際，ルーズリング６に綴じられたリーフ１６とポーチＰは，ケース４の表面と前部分１０の内側面との両側面に接触する（図１ｃ参照）。図１ｃに示すように，ケースとルーズリングの大きさと固定位置を調整すると，ケース４は，基本板２の横部分の一側の外縁部から分離されないように設置される。この結果，基本板２が「⊃」形状に折りたたまれると，ルーズリング６に綴じこまれたリーフ１６とポーチＰは，基本板２の前部分１０と後部分１２の内側面の両側面で接触して，横部分１４の幅が減縮され得る。つまり，図１ｂと１ｃに示したように，多目的ハンドバッグの例は，ケース４，ルーズリング６，及びループ８を含むが，その大きさと固定位置によって，基本板２が「⊃」形状に折りたたまれるときに，基本板２の横部分１４の幅が異なって決定され得る。さらに，ケース４，ルーズリング６，及びループ８は，すべて適切な取り付け手段を用いて多目的ハンドバッグの内部に着脱式で個別に取り付けられる。
【００１４】
ルーズリング６は，折りたたまれた基本板２の内部にリーフ１６とポーチＰを綴じるため，基本板２の横部分１４の内側面に取り付けられる。図２ａに示すように，ルーズリング６は，基本板２の横部分１４の内側面に着脱式で取り付けられることが好ましい。換言すれば，レールバーＬは，横部分１４の内側面に形成され，ルーズリング６にはルーズリングの表面に対応するレール溝Ｌ”が備えられる。これによって，レールをレール溝に嵌入するとルーズリング６が基本板２に固定され，連結関係を解除するとこれらが分離されるようになる。一方，ルーズリング６の底面にレールバーＬを形成し，レール溝Ｌ”を基本板２の横部分１４の内側面に形成することができる。ルーズリングを取り付ける方式は，上記の実施形態に限定されない。
【００１５】
ルーズリング６が着脱式で取り付けられる位置は，基本板２の横部分１４の内側面に限定されず，例えば，基本板２の前部分１０の内側面や基本板２の後部分１２の内側面に，ユーザが任意に固定位置を決定することができる。さらに，２つ以上のルーズリングを基本板２の一面に取り付けることができ，１つ以上のルーズリングを基本板２の前部分１０，後部分１２，及び横部分１４の内側面に取り付けることもできる。
【００１６】
ルーズリング６と６’は，バインダＢに置き換えることができる。図２ａに示すように，バインダＢは，基本板２の横部分１４，前部分１０，及び後部分１２の内側面に着脱式で取り付けられ，さらに，ルーズリング６と結合して取り付けられる。一定の大きさのリーフやポーチに使用されるバインダとは異なり，ルーズリングの固定位置は，ユーザが選択するリーフやポーチの大きさに応じて調整され得る。よって，ルーズリングはリーフやポーチの大きさとは関係なく使用することができる。
【００１７】
図２ａと２ｂに示すように，ルーズリング６と６’またはバインダＢの固定位置，さらにこれらの位置角度を多様に変えるためには，ルーズリング６の側面上またはバインダの横面にレール溝Ｌ’を追加形成することが好ましい。
【００１８】
一方で，ループ８は，基本板２の後部分１２の内側面に着脱式で取り付けられるバンド態様である。ループ８の終端部分は，基本板２の後部分１２の内側面に取り付けられまたは固定され，これによって，その内部に所定の物品１８が保持され固定され得る。
【００１９】
図３ａは，開口部の開閉を容易にするために，本発明に係る多目的ハンドバッグに取り付けたファスナ７６の例を示している。つまり，ファスナ７６は，基本板２の外部周囲の前端部に沿って形成されており，ハンドバッグは基本板２が「⊃」形状に折りたたまれるときに開閉することができる。
【００２０】
さらに，ハンドバッグを開閉するために，基本板２の後部分１２の外部周辺前端部に上向きに形成されている突出部７７が，基本板２の前部分１０の外部周辺前端部に上向きに形成されている他の突出部７７と結合する。
【００２１】
さらに，基本板２の前部分１０の長手方向の部分から延び，基本板２の横部分１４に対応する他の部分を囲み，後部分１２の外部表面を覆う部分を有する他の開閉手段を使用することもできる。
【００２２】
図３ｂに示すように，ケースの横面に形成された溝は，ルーズリング６が取り付けられている横部分１４のレールバーに対応して着脱式で取り付けられるレール溝Ｒ’であり，ケースの底面に形成される溝は，基本板２に形成されたレールバーＲに結合されるレール溝Ｒ”である。
【００２３】
さらに，ケース，ルーズリング，バインダ，及びループを着脱可能なように取り付けることは，レール溝とレールバーだけでなく，オスメス溝，オスメス取り付けフック，着脱自在ファスナ，ヒンジ，及びドット等の各種装置やツールを利用することによって実施可能である。
【産業上の利用可能性】
【００２４】
上述のように，本発明に係る多目的ハンドバッグは，内部空間で多様な種類のアイテムを整理することが可能であり，各アイテムが散乱しないようになり，その結果，ハンドバッグ自体を開くことによって所望のアイテムを容易かつ迅速に取り出してアイテムを使用できるようにして，全く場所の制限を受けずに所望のアイテムを便利に使用できるようになる。
【００２５】
さらに，多目的ハンドバッグは，各種の機能を備えたケース，ルーズリング，バインダ，及びループを備えており，このすべての附属品は，取り付け位置を変えつつ，着脱式で固定される。このため，ユーザの利用目的に応じて利用空間を効率的に拡大することについての優位性がもたらされる。
【００２６】
上記の実施の形態は単なる典型例であり，これが本発明を限定すると解釈してはならない。ここで，説明された内容は，他の態様の装置にも容易に適用することができる。この発明に関する記述は，単に説明を目的とするものであり，請求の範囲を制限するものではない。多くの代案，変更，変形は当業者にとって明らかであろう。
【図面の簡単な説明】
【００２７】
【図１ａ】本発明の好適な実施の形態に係る多目的ハンドバッグの基本部分を示している。
【図１ｂ−１】本発明の好適な実施の形態に係る多目的ハンドバッグの基本部分を示している。
【図１ｂ−２】本発明の好適な実施の形態に係る多目的ハンドバッグの基本部分を示している。
【図１ｃ−１】本発明の好適な実施の形態に係る多目的ハンドバッグの基本部分を示している。
【図１ｃ−２】本発明の好適な実施の形態に係る多目的ハンドバッグの基本部分を示している。
【図１ｄ−１】本発明の好適な実施の形態に係る多目的ハンドバッグの基本部分を示している。
【図１ｄ−２】本発明の好適な実施の形態に係る多目的ハンドバッグの基本部分を示している。
【図１ｄ−３】本発明の好適な実施の形態に係る多目的ハンドバッグの基本部分を示している。
【図２ａ−１】複数のケース，バインダ，及びルーズリングが多様な態様で結合される例を示している。
【図２ａ−２】複数のケース，バインダ，及びルーズリングが多様な態様で結合される例を示している。
【図２ｂ】複数のケース，バインダ，及びルーズリングが多様な態様で結合される例を示している。
【図３ａ−１】本発明の好適な実施の形態に係るハンドバッグの開閉を担当する結合部分が連結される例を示している。
【図３ａ−２】本発明の好適な実施の形態に係るハンドバッグの開閉を担当する結合部分が連結される例を示している。
【図３ｂ】本発明の好適な実施の形態に係るハンドバッグの開閉を担当する結合部分が連結される例を示している。
【符号の説明】
【００２８】
２      基本板
４      物品保管ケース
６      ルーズリング
８      ループ


【手続補正３】
【補正対象書類名】図面
【補正対象項目名】全図
【補正方法】変更
【補正の内容】
【図１ａ】
2005505363.tif 000065
【図１ｂ−１】
2005505363.tif 000066
【図１ｂ−２】
2005505363.tif 000067
【図１ｃ−１】
2005505363.tif 000068
【図１ｃ−２】
2005505363.tif 000069
【図１ｄ−１】
2005505363.tif 000070
【図１ｄ−２】
2005505363.tif 000071
【図１ｄ−３】
2005505363.tif 000072
【図２ａ−１】
2005505363.tif 000073
【図２ａ−２】
2005505363.tif 000074
【図２ｂ】
2005505363.tif 000075
【図３ａ−１】
2005505363.tif 000076
【図３ａ−２】
2005505363.tif 000077
【図３ｂ】
2005505363.tif 000078
【国際調査報告】
2005505363.tif 000079
2005505363.tif 000080